(57)【要約】 【課題】  繊維間のような形状が複雑な部分に付着し、通常の洗浄では落ちにくい有機物と無機物からなる泥汚れのような混合汚れであっても、効果的に落とすことができる洗浄組成物およびそれを用いた洗浄方法を提供する。【解決手段】  還元剤（Ｉ）と、フッ化物（ＩＩ）と、窒素を含有する界面活性剤（ａ−１）、または、４級アンモニウム基または３級アミノ基を有するビニル単量体を構成単位として含む高分子化合物（ａ−２）の少なくとも一方（ＩＩＩ）とを含有する洗浄組成物である。この洗浄組成物を含む液中に被洗物を浸漬する工程、または、この洗浄組成物を含む液を被洗物に塗布する工程を有する洗浄方法により、汚れを効果的に洗浄できる。【選択図】  なし【特許請求の範囲】
【請求項１】
還元剤（Ｉ）と、フッ化物（ＩＩ）と、窒素を含有する界面活性剤（ａ−１）、または、４級アンモニウム基または３級アミノ基を有するビニル単量体を構成単位として含む高分子化合物（ａ−２）の少なくとも一方（ＩＩＩ）とを含有することを特徴とする洗浄組成物。
【請求項２】
さらにキレート剤を含有することを特徴とする請求項１に記載の洗浄組成物。
【請求項３】
１質量％に希釈した水溶液の２５℃におけるｐＨが、５以上１２以下であることを特徴とする請求項１または２に記載の洗浄組成物。
【請求項４】
泥汚れ洗浄用であることを特徴とする請求項１ないし３のいずれかに記載の洗浄組成物。
【請求項５】
請求項１ないし４のいずれかに記載の洗浄組成物を用いて、被洗物を洗浄する方法であって、
洗浄組成物を含む液中に被洗物を浸漬する工程、または、洗浄組成物を含む液を被洗物に塗布する工程を有することを特徴とする洗浄方法。
【発明の詳細な説明】
【技術分野】
【０００１】
本発明は、落としにくい泥汚れの洗浄などに好適に使用される洗浄組成物に関する。
【背景技術】
【０００２】
泥汚れの主な成分である黒土は、無機物と有機物の混合汚れであり、通常の洗浄では落としにくい。このような泥汚れが、たとえば繊維間などの形状が複雑な部分に付着した場合には、特にこれを落とすのは困難である。
そこで、このような泥汚れを洗浄する組成物が検討されていて、例えば、特許文献１には、洗浄成分として還元剤を使用したものが開示されている。一方、半導体基材のエッチ残留物や、外装材表面を洗浄するためのものではあるが、洗浄成分としてフッ化物を用いたものが特許文献２および３に記載されている。また、特許文献４には、洗浄成分として両性高分子を含む洗浄剤組成物が開示されている。
【特許文献１】特開平１−９６２９７号公報
【特許文献２】特表２００３−５０３５５６号公報
【特許文献３】特開平８−２４５９８６号公報
【特許文献４】特開昭５８−１３７００号公報
【発明の開示】
【発明が解決しようとする課題】
【０００３】
しかしながら、特許文献１〜４に記載のものは、いずれも無機物と有機物の混合汚れに効果のあるものではなかった。
【０００４】
本発明は前記事情に鑑みてなされたもので、有機物と無機物からなる泥汚れのような混合汚れであっても、効果的に落とすことができる洗浄組成物およびそれを用いた洗浄方法を提供することを課題とする。
【課題を解決するための手段】
【０００５】
本発明者らは上記課題を解決すべく鋭意研究を重ねた結果、特定の洗浄組成物を用いることにより、泥汚れのような混合汚れであっても、効果的に洗浄できることを見出し、本発明を完成するに至った。
本発明の洗浄組成物は、還元剤（Ｉ）と、フッ化物（ＩＩ）と、窒素を含有する界面活性剤（ａ−１）、または、４級アンモニウム基または３級アミノ基を有するビニル単量体を構成単位として含む高分子化合物（ａ−２）の少なくとも一方（ＩＩＩ）とを含有することを特徴とする。
本発明の洗浄組成物は、さらにキレート剤を含有することが好ましい。
また、本発明の洗浄組成物は、１質量％に希釈した水溶液の２５℃におけるｐＨが、５以上１２以下であることが好ましい。
本発明の洗浄組成物は、特に泥汚れの洗浄に適している。
本発明の洗浄方法は、前記洗浄組成物を用いて、被洗物を洗浄する方法であって、洗浄組成物を含む液中に被洗物を浸漬する工程、または、洗浄組成物を含む液を被洗物に塗布する工程を有することを特徴とする。
【発明の効果】
【０００６】
本発明によれば、有機物と無機物からなる泥汚れのような混合汚れであっても、効果的に落とすことができる。
【発明を実施するための最良の形態】
【０００７】
以下、本発明を詳細に説明する。
本発明の洗浄組成物は、還元剤（Ｉ）（以下、（Ｉ）成分という場合もある。）と、フッ化物（ＩＩ）（以下、（ＩＩ）成分という場合もある。）と、窒素を含有する界面活性剤（ａ−１）、または、４級アンモニウム基または３級アミノ基を有するビニル単量体を構成単位として含む高分子化合物（ａ−２）の少なくとも一方（ＩＩＩ）（以下、（ＩＩＩ）成分という場合もある。）とを含有するものである。以下、これら各成分について説明する。
【０００８】
「（Ｉ）成分」
本発明で（Ｉ）成分として使用される還元剤は、他の物質を還元する働きのある物質であれば制限されず、例えば、亜硫酸、次亜硫酸、亜硝酸、亜リン酸、次亜リン酸、チオ硫酸、ホルムアルデヒドスルホン酸（ロンガリット）、アスコロビン酸、イソアスコロビン酸、チオグリコール酸、ジメルカプトコハク酸、シュウ酸、ギ酸、トリス（カルボキシメチル）ホスフィン、トリス（２−カルボキシエチル）ホスフィン、トリス（２−カルボキシプロピル）ホスフィンや、これらのアルカリ金属塩、アルカリ土類金属塩、アンモニウム塩が挙げられる。また、その他に、マグネシウム、ナトリウムアマルガム、マグネシウムアマルガム、ヨウ化水素、硫化水素、二酸化イオウ、亜硫酸水素ナトリウム、亜硫酸水素カリウム、亜硫酸水素アンモニウム、二酸化チオ尿素、ジチオスレイトール、リボース、グルコース、サッカロース、トリエチルホスフィン、トリｎ−ブチルホスフィン、トリｎ−オクチルホスフィン、トリ（３−ヒドロキシプロピル）ホスフィンが挙げられる。
【０００９】
これらのうち好ましくは、亜硫酸、次亜硫酸、次亜リン酸、ホルムアルデヒドスルホン酸（ロンガリット）、トリス（カルボキシメチル）ホスフィン、トリス（２−カルボキシエチル）ホスフィン、トリス（２−カルボキシプロピル）ホスフィンや、これらのアルカリ金属塩、アルカリ土類金属塩、アンモニウム塩、さらには、二酸化チオ尿素、ジチオスレイトール、チオグリコール酸、トリエチルホスフィン、トリｎ−ブチルホスフィン、トリｎ−オクチルホスフィン、トリ（３−ヒドロキシプロピル）ホスフィンである。
より好ましくは、次亜硫酸、トリス（２−カルボキシエチル）ホスフィンや、これらのアルカリ金属塩（例えば、次亜硫酸のナトリウム塩であるハイドロサルファイト）、アルカリ土類金属塩、アンモニウム塩、さらには二酸化チオ尿素、ジチオスレイトール、チオグリコール酸、トリ（３−ヒドロキシプロピル）ホスフィンである。
これら還元剤は１種単独で使用しても２種以上を併用してもよい。
【００１０】
「（ＩＩ）成分」
本発明で（ＩＩ）成分として使用されるフッ化物は、水に溶かしたときにフッ化物イオンを放出する化合物であれば特に制限はない。例えば、フッ化物の塩を形成する化合物の他、フッ化物イオンを化合物のカウンターイオンとして有するものでもよい。
好ましくは、フッ化水素、フッ化ナトリウム、フッ化カリウム、フッ化リチウム、フッ化ルビジウム、フッ化セシウム、フッ化アンモニウム、酸性フッ化ナトリウム（ＮａＨＦ２）、酸性フッ化カリウム（ＫＨＦ２）、珪フッ化ナトリウム（Ｎａ３ＳｉＦ６）、氷晶石（Ｎａ３ＡｌＦ６）であり、より好ましくは、フッ化ナトリウム、フッ化カリウム、フッ化アンモニウムである。
【００１１】
「（ＩＩＩ）成分」
本発明の洗浄組成物に使用される（ＩＩＩ）成分は、汚れを分散させるものであり、主に汚れ中の有機物に作用すると考えられるものであって、窒素を含有する界面活性剤（ａ−１）、または、４級アンモニウム基または３級アミノ基を有するビニル単量体を構成単位として含む高分子化合物（ａ−２）の少なくとも一方（ＩＩＩ）が使用される。
【００１２】
［窒素を含有する界面活性剤（ａ−１）］
窒素を含有する界面活性剤（ａ−１）としては、例えば、下記式（１）で表される４級アンモニウム界面活性剤が挙げられる。
【化１】
2006111869.tif 000002
【００１３】
式（１）中、Ｒ１およびＲ２は各々独立に、炭素数１〜２０の直鎖状アルキル基または分岐鎖状アルキル基または不飽和炭化水素鎖、あるいは、これらの炭素鎖に水酸基、エステル部位、ハロゲンを１つ以上含む構造、あるいは、炭素数３から６のシクロアルキル基、フェニル基、ベンジル基のいずれかを示す。
ｍおよびｎは、エチレンオキシド基の平均付加モル数であり、各々独立に０以上の整数である。ｍ＋ｎは、汚れの分散性や、汚れの再付着防止の点から、１０以上が好ましく、より好ましくは１０以上６０以下である。Ｘ−はカウンターアニオンを示し、Ｘ−としては、ハロゲンイオン、硝酸イオン、硫酸イオン、有機酸イオンなどを例示でき、好ましくは塩素イオン、臭素イオン、フッ素イオン、硝酸イオン、硫酸イオン等である。
【００１４】
その他、窒素を含有する界面活性剤（ａ−１）としては、セチルトリメチルアンモニウム塩など式（１）以外の４級アンモニウムカチオン界面活性剤、Ｎ，Ｎ−ジメチル−Ｎ−ラウリルオキサイドなどのアルキルアミンオキサイド、Ｎ，Ｎ−ジメチル−Ｎ−ドデシル−Ｎ−カルボキシメチルアンモニウムベタインなどアルキルベタインのような両性活性剤、Ｎ，Ｎ−ポリオキシアルキレン−Ｎ−アルキルアミンなどの３級アミン界面活性剤などが挙げられる。
【００１５】
［高分子化合物（ａ−２）］
４級アンモニウム基または３級アミノ基を有するビニル単量体を構成単位として含む高分子化合物（ａ−２）としては、特に制限はないが、例えば、以下の高分子化合物（イ）、高分子化合物（ロ）、高分子化合物（ハ）が好ましいものとして挙げられる。
【００１６】
（ｉ）高分子化合物（イ）
高分子化合物（イ）は、アニオン性ビニル単量体（Ａ）に由来する構成単位（Ａ′）と、４級アンモニウム基または３級アミノ基を有するビニル単量体（Ｂ）に由来する構成単位（Ｂ′）と、疎水性ビニル単量体（Ｃ）に由来する構成単位（Ｃ′）と、親水性ビニル単量体（Ｄ）に由来する構成単位（Ｄ′）とを含有するものであって、高分子化合物（イ）の水溶媒への溶解性、泥への吸着性、泥の分散性、汚れの再付着防止などの観点からは、特にこれらの構成単位を下記組成比で含有するものが好ましい。
【００１７】
すなわち、組成比（Ａ′）／（Ｂ′）は、８０／２０〜２０／８０モル％が好ましく、より好ましくは７０／３０〜３０／７０モル％、さらに好ましくは６０／４０〜４０／６０モル％である。構成単位（Ａ′）、（Ｂ′）、（Ｃ′）、（Ｄ′）の合計に占める（Ｃ′）、すなわち（Ｃ′）／［（Ａ′）＋（Ｂ′）＋（Ｃ′）＋（Ｄ′）］は、０．１〜２０質量％が好ましく、より好ましくは０．２〜１５質量％、さらに好ましくは、０．３〜１０質量％である。また、（Ｄ′）／［（Ａ′）＋（Ｂ′）＋（Ｃ′）＋（Ｄ′）］は０．１〜５０質量％が好ましく、より好ましくは０．２〜４０質量％、さらに好ましくは、０．３〜３０質量％である。
また、高分子化合物（イ）は、構成単位（Ａ′）〜（Ｄ′）を含有するランダムコポリマーであっても、ブロックコポリマーであってもよい。
【００１８】
（アニオン性ビニル単量体（Ａ））
高分子化合物（イ）の構成単位（Ａ′）をなすアニオン性ビニル単量体（Ａ）は、アニオン性の官能基を備えたビニル単量体またはその塩であって、このようなものとしては、例えばカルボキシル基を備えたビニル単量体またはその塩、スルホン酸基を備えたビニル単量体またはその塩などを例示でき、これらの単量体を１種単独で使用しても、２種以上を適宜組み合わせて使用してもよい。以下、塩を形成していないアニオン性官能基を備えたビニル単量体を酸型、塩を形成しているものを塩型という場合がある。
【００１９】
カルボキシル基を備えたビニル単量体としては、（メタ）アクリル酸、マレイン酸、フマル酸などを例示できる。塩型の場合、具体的にはアルカリ金属塩、アンモニウム誘導体などが挙げられる。なお、（メタ）アクリル酸は、アクリル酸とメタクリル酸の少なくとも一方を示す。
アルカリ金属塩、アンモニウム誘導体の例としては、ナトリウム塩（Ｎａ塩）、カリウム塩（Ｋ塩）、アンモニウム塩、モノエタノールアミン塩、ジエタノールアミン塩、トリエチルアミン塩等が挙げられる。塩型を使用する場合は、塩型単独で用いても、酸型と混合して用いてもよい。また、ビニル単量体として酸型のものを用いて高分子化合物（イ）を製造した後、この高分子化合物（イ）中のカルボキシル基をアルカリ剤で中和してもよい。
【００２０】
カルボキシル基を備えたビニル単量体またはその塩をより具体的に挙げると、アクリル酸、メタクリル酸、マレイン酸、フマル酸、アクリル酸Ｎａ塩、アクリル酸Ｋ塩、メタクリル酸Ｎａ塩、メタクリル酸Ｋ塩、マレイン酸Ｎａ塩、マレイン酸Ｋ塩、フマル酸Ｎａ塩、フマル酸Ｋ塩、アクリル酸アンモニウム塩、メタクリル酸アンモニウム塩、マレイン酸アンモニウム塩、フマル酸アンモニウム塩、アクリル酸モノエタノールアミン塩、メタクリル酸モノエタノールアミン塩、マレイン酸モノエタノールアミン塩、フマル酸モノエタノールアミン塩等を示すことができる。これらのなかで好ましくはアクリル酸、メタクリル酸、アクリル酸Ｎａ塩、メタクリル酸Ｎａ塩、アクリル酸モノエタノールアミン塩、メタクリル酸モノエタノールアミン塩である。
【００２１】
スルホン酸基を備えたビニル単量体としては、ビニルスチレンスルホン酸、または下記の一般式（２）および一般式（３）で示されるものなどを使用できる。塩型の場合、具体的にはアルカリ金属塩、アンモニウム誘導体などが挙げられる。
アルカリ金属塩、アンモニウム誘導体の例としては、Ｎａ塩、Ｋ塩、アンモニウム塩、モノエタノールアミン塩、トリエチルアミン塩が挙げられる。塩型を使用する場合は、塩型単独で用いても、酸型と混合して用いてもよい。また、ビニル単量体として酸型のものを用いて高分子化合物（イ）を製造した後、この高分子化合物（イ）中のスルホン酸基をアルカリ剤で中和して用いてもよい。
【００２２】
【化２】
2006111869.tif 000003
【化３】
2006111869.tif 000004
【００２３】
式中（２）、（３）中のＲは、水素または炭素数１〜２のアルキル基を示し、Ｙはスルホン酸基（−ＳＯ３Ｈ）またはスルホン酸塩を示す。Ａは酸素原子またはＮＨを示し、Ｖは炭素数１〜１５の直鎖状または分岐鎖状のアルキレン基または不飽和炭化水素鎖を示す。Ｗは炭素数１〜２０の直鎖状または分岐鎖状または脂環式のアルキル基、あるいは、炭素数２〜２０の直鎖状または分岐鎖状または脂環式のアルケニル基を示す。
【００２４】
一般式（２）で示されるスルホン酸基を備えたビニル単量体の例としては、アクリルアミドメタンスルホン酸、メタクリルアミドメタンスルホン酸、アクリルアミドエタンスルホン酸、メタクリルアミドエタンスルホン酸、アクリルアミドプロパンスルホン酸、メタクリルアミドプロパンスルホン酸、２−アクリルアミド−２−メチルプロパンスルホン酸、２−メタクリルアミド−２−メチルプロパンスルホン酸、メタンスルホン酸アクリレート、メタンスルホン酸メタクリレート、エタンスルホン酸アクリレート、エタンスルホン酸メタクリレート、プロパンスルホン酸アクリレート、プロパンスルホン酸メタクリレートが挙げられる。
【００２５】
また、一般式（２）で示されるスルホン酸基を備えたビニル単量体の塩型の例としては、アクリルアミドメタンスルホン酸Ｎａ塩、メタクリルアミドメタンスルホン酸Ｎａ塩、アクリルアミドエタンスルホン酸Ｎａ塩、メタクリルアミドエタンスルホン酸Ｎａ塩、アクリルアミドプロパンスルホン酸Ｎａ塩、メタクリルアミドプロパンスルホン酸Ｎａ塩、２−アクリルアミド−２−メチルプロパンスルホン酸Ｎａ塩、２−メタクリルアミド−２−メチルプロパンスルホン酸Ｎａ塩、メタンスルホン酸アクリレートＮａ塩、メタンスルホン酸メタクリレートＮａ塩、エタンスルホン酸アクリレートＮａ塩、エタンスルホン酸メタクリレートＮａ塩、プロパンスルホン酸アクリレートＮａ塩、プロパンスルホン酸メタクリレートＮａ塩、アクリルアミドメタンスルホン酸Ｋ塩、メタクリルアミドメタンスルホン酸Ｋ塩、アクリルアミドエタンスルホン酸Ｋ塩、メタクリルアミドエタンスルホン酸Ｋ塩、アクリルアミドプロパンスルホン酸Ｋ塩、メタクリルアミドプロパンスルホン酸Ｋ塩、２−アクリルアミド−２−メチルプロパンスルホン酸Ｋ塩、２−メタクリルアミド-2-メチルプロパンスルホン酸Ｋ塩、メタンスルホン酸アクリレートＫ塩、メタンスルホン酸メタクリレートＫ塩、エタンスルホン酸アクリレートＫ塩、エタンスルホン酸メタクリレートＫ塩、プロパンスルホン酸アクリレートＫ塩、プロパンスルホン酸メタクリレートＫ塩、アクリルアミドメタンスルホン酸トリエチルアミン塩、メタクリルアミドメタンスルホン酸トリエチルアミン塩、アクリルアミドエタンスルホン酸トリエチルアミン塩、メタクリルアミドエタンスルホン酸トリエチルアミン塩、アクリルアミドプロパンスルホン酸トリエチルアミン塩、メタクリルアミドプロパンスルホン酸トリエチルアミン塩、２−アクリルアミド−２−メチルプロパンスルホン酸トリエチルアミン塩、２−メタクリルアミド−２−メチルプロパンスルホン酸トリエチルアミン塩、メタンスルホン酸アクリレート、メタンスルホン酸メタクリレートトリエチルアミン塩、エタンスルホン酸アクリレートトリエチルアミン塩、エタンスルホン酸メタクリレートトリエチルアミン塩、プロパンスルホン酸アクリレートトリエチルアミン塩、プロパンスルホン酸メタクリレートトリエチルアミン塩等を挙げられる。
【００２６】
これら一般式（２）で示されるスルホン酸基を備えたビニル単量体およびその塩の中では、アクリルアミドメタンスルホン酸、アクリルアミドメタンスルホン酸Ｎａ塩、アクリルアミドメタンスルホン酸トリエチルアミン塩、２−アクリルアミド−２−メチルプロパンスルホン酸、２−アクリルアミド−２−メチルプロパンスルホン酸Ｎａ塩、２−アクリルアミド−２−メチルプロパンスルホン酸トリエチルアミン塩、メタクリルアミドメタンスルホン酸、メタクリルアミドメタンスルホン酸Ｎａ塩、メタクリルアミドメタンスルホン酸トリエチルアミン塩、２−メタクリルアミド２−メチルプロパンスルホン酸、２−メタクリルアミド２−メチルプロパンスルホン酸Ｎａ塩、２−メタクリルアミド−２−メチルプロパンスルホン酸トリエチルアミン塩が好ましく、より好ましくは、２−アクリルアミド２−メチルプロパンスルホン酸、２−アクリルアミド２−メチルプロパンスルホン酸Ｎａ塩、２−アクリルアミド２−メチルプロパンスルホン酸トリエチルアミン塩、２−メタクリルアミド−２−メチルプロパンスルホン酸、２−メタクリルアミド−２−メチルプロパンスルホン酸Ｎａ塩、２−メタクリルアミド−２−メチルプロパンスルホン酸トリエチルアミン塩である。
【００２７】
一般式（３）で示されるスルホン酸基を備えたビニル単量体およびその塩の例としては、モノ−ｎ−ブチル−モノビニルスルホコハク酸エステル、モノ−ｎ−ブチル−モノビニルスルホコハク酸エステルＮａ塩、モノ−ｎ−ブチル−モノビニルスルホコハク酸エステルＫ塩、モノ−ｎ−ブチル−モノビニルスルホコハク酸エステルトリエチルアミン塩、モノ−ｎ−へキシル−モノビニルスルホコハク酸エステル、モノ−ｎ−へキシル−モノビニルスルホコハク酸エステルＮａ塩、モノ−ｎ−へキシル−モノビニルスルホコハク酸エステルＫ塩、モノ−ｎ−へキシル−モノビニルスルホコハク酸エステルトリエチルアミン塩、モノシクロへキシル−モノビニルスルホコハク酸エステル、モノシクロへキシル−モノビニルスルホコハク酸エステルナトリウム塩、モノシクロへキシル−モノビニルスルホコハク酸エステルトリエチルアミン塩、モノ−２−エチルへキシル−モノビニルスルホコハク酸エステル、モノ−２−エチルへキシル−モノビニルスルホコハク酸エステルＮａ塩、モノ−２−エチルへキシル−モノビニルスルホコハク酸エステルＫ塩、モノ−２−エチルへキシル−モノビニルスルホコハク酸エステルトリエチルアミン塩、モノ−ｎ−オクチル−モノビニルスルホコハク酸エステル、モノ−ｎ−オクチル−モノビニルスルホコハク酸エステルＮａ塩、モノ−ｎ−オクチル−モノビニルスルホコハク酸エステルＫ塩、モノ−ｎ−オクチル−モノビニルスルホコハク酸エステルトリエチルアミン塩、モノ−ｎ−ラウリル−モノビニルスルホコハク酸エステル、モノ−ｎ−ラウリル−モノビニルスルホコハク酸エステルＮａ塩、モノ−ｎ−ラウリル−モノビニルスルホコハク酸エステルＫ塩、モノ−ｎ−ラウリル−モノビニルスルホコハク酸エステルトリエチルアミン塩、モノ−ｎ−ステアリル−モノビニルスルホコハク酸エステル、モノ−ｎ−ステアリル−モノビニルスルホコハク酸エステルＮａ塩、モノ−ｎ−ステアリル−モノビニルスルホコハク酸エステルＫ塩、モノ−ｎ−ステアリル−モノビニルスルホコハク酸エステルトリエチルアミン塩を挙げることができる。
【００２８】
一般式（３）で示されるスルホン酸基を備えたビニル単量体およびその塩の中では、好ましくは、モノ−ｎ−オクチル−モノビニルスルホコハク酸エステル、モノ−ｎ−オクチル−モノビニルスルホコハク酸エステルＮａ塩、モノ−ｎ−ラウリル−モノビニルスルホコハク酸エステル、モノ−ｎ−ラウリル−モノビニルスルホコハク酸エステルＮａ塩であり、より好ましくは、モノ−ｎ−ラウリル−モノビニルスルホコハク酸エステル、モノ−ｎ−ラウリル−モノビニルスルホコハク酸エステルＮａ塩である。
【００２９】
（４級アンモニウム基または３級アミノ基を有するビニル単量体（Ｂ））
高分子化合物（イ）の構成単位（Ｂ′）をなすビニル単量体（Ｂ）は、４級アンモニウム基または３級アミノ基を有するものであり、そのような単量体を１種単独で使用しても、２種以上を適宜組み合わせて使用してもよい。
３級アミノ基を有するビニル単量体としては、下記一般式（４）で示されるものや、１−ビニル−４−ジメチルアミノベンゼン、１−ビニル−４−ジエチルアミノベンゼンなどを例示できる。
【化４】
2006111869.tif 000005
【００３０】
式（４）中、Ｒは水素または炭素数１〜２のアルキル基を示し、Ａは酸素原子またはＮＨを示し、Ｖは炭素数１〜１５の直鎖状または分岐鎖状のアルキレン基、あるいは、炭素数２〜１５の直鎖状または分岐鎖状の不飽和炭化水素鎖を示す。なお、Ｖの炭素鎖中に水酸基が結合してもよく、また、Ｖが不飽和炭化水素鎖である場合には、これに炭素数３から６のシクロアルキル基、フェニル基が結合していてもよい。また、Ｒ１とＲ２は炭素数１〜２のアルキル基を示し、Ｒ１とＲ２は互いに同一であっても、異なっていてもよい。
【００３１】
一般式（４）で示される単量体の具体例としては、ジメチルアミノエチルアクリレート、ジメチルアミノエチルメタクリレート、ジメチルアミノプロピルアクリレート、ジメチルアミノプロピルメタクリレート、ジメチルアミノブチルアクリレート、ジメチルアミノブチルメタクリレート、ジエチルアミノエチルアクリレート、ジエチルアミノエチルメタクリレート、ジメチルアミノエチルアクリルアミド、ジメチルアミノエチルメタクリルアミド、ジメチルアミノプロピルアクリルアミド、ジメチルアミノプロピルメタクリルアミド、ジメチルアミノブチルアクリルアミド、ジメチルアミノブチルメタクリルアミド、ジエチルアミノエチルアクリルアミド、ジエチルアミノエチルメタクリルアミド等を挙げることができる。これらの中では、好ましくはジメチルアミノエチルメタクリレート、ジメチルアミノエチルアクリレート、ジメチルアミノエチルメタクリルアミド、ジメチルアミノエチルアクリルアミドであり、より好ましくはジメチルアミノエチルメタクリレート、ジメチルアミノエチルメタクリルアミドである。
【００３２】
４級アンモニウム基を有するビニル単量体としては、下記一般式（５）や（６）で示されるものや、１−ビニル−４−トリメチルアミノベンゼン、１−ビニル−４−トリエチルアミノベンゼンなどを例示できる。
【化５】
2006111869.tif 000006
【化６】
2006111869.tif 000007
【００３３】
式（５）、（６）中、Ｒは水素または炭素数１〜２のアルキル基を示し、Ａは酸素原子または又はＮＨを示し、Ｖは炭素数１〜１５の直鎖状または分岐鎖状のアルキレン基、あるいは、炭素数２〜１５の直鎖状または分岐鎖状の不飽和炭化水素鎖を示す。なお、Ｖの炭素鎖中に水酸基が結合してもよく、また、Ｖが不飽和炭化水素鎖である場合には、これに炭素数３から６のシクロアルキル基、フェニル基が結合していてもよい。また、Ｒ１、Ｒ２、Ｒ３は各々炭素数１〜２のアルキル基を示し、Ｒ１、Ｒ２、Ｒ３は、互いに同一でも、異なっていてもよい。また、Ｚ１およびＺ２は、炭素数１〜３の直鎖状のアルキレン基を示し、Ｚ１とＺ２は互いに同一でも異なっていてもよい。また、式（６）中の２つのＲも互いに同一でも、異なっていてもよい。
また、Ｘ−はカウンターアニオンを示し、Ｘ−としては、ハロゲンイオン、硫酸イオン、有機酸イオンなどを例示でき、好ましくは塩素イオン、臭素イオン、フッ素イオン、硫酸イオン、クエン酸イオン等である。
【００３４】
一般式（５）で示されるビニル単量体の具体例として、カウンターアニオンＸ−として塩素イオンを備えた（塩化物）ものを以下に例示するが、塩化物に限定されるものではない。
すなわち、塩化１−ビニル−４−トリメチルアミノベンゼン、塩化１−ビニル−４−トリエチルアミノベンゼン、塩化トリメチルアミノエチルアクリレート、塩化トリメチルアミノエチルメタクリレート、塩化トリメチルアミノプロピルアクリレート、塩化トリメチルアミノプロピルメタクリレート、塩化トリメチルアミノブチルアクリレート、塩化トリメチルアミノブチルメタクリレート、塩化トリエチルアミノエチルアクリレート、塩化トリエチルアミノエチルメタクリレート、塩化トリメチルアミノエチルアクリルアミド、塩化トリメチルアミノエチルメタクリルアミド、塩化トリメチルアミノプロピルアクリルアミド、塩化トリメチルアミノプロピルメタクリルアミド、塩化トリメチルアミノブチルアクリルアミド、塩化トリメチルアミノブチルメタクリルアミド、塩化トリエチルアミノエチルアクリルアミド、塩化トリエチルアミノエチルメタクリルアミド等が挙げられ、好ましくは、ジメチルアミノエチルメタクリレート、塩化トリメチルアミノエチルメタクリレート、塩化トリメチルアミノプロピルアクリルアミド、塩化トリメチルアミノプロピルメタクリルアミド等が挙げられ、好ましくは塩化トリメチルアミノエチルメタクリレート、塩化トリメチルアミノエチルアクリレート、塩化トリメチルアミノプロピルメタクリルアミド、塩化トリメチルアミノプロピルアクリルアミド、塩化１−ビニル−４−トリメチルアミノベンゼン、塩化１−ビニル−４−トリエチルアミノベンゼン等が挙げられ、より好ましくは、塩化トリメチルアミノエチルメタクリレート、塩化トリメチルアミノプロピルメタクリルアミド、塩化トリメチルアミノプロピルアクリルアミド、塩化１−ビニル−４−トリメチルアミノベンゼン等である。
【００３５】
一般式（６）は、４級アンモニウム基を有するビニル単量体が２官能性単量体である場合を示したものである。以下、その具体例として、カウンターアニオンＸ−として塩素イオンを備えた（塩化物）ものを例示するが、塩化物に限定されるものではない。
すなわち、ジアリルジメチルアンモニウムクロライド、ジアリルジメチルアンモニウムブロマイド、ジアリルジエチルアンモニウムクロライド、ジアリルジメエチルアンモニウムブロマイド等が挙げられ、好ましくはジアリルジメチルアンモニウムクロライド、ジアリルジメチルアンモニウムブロマイド等であり、より好ましくはジアリルジメチルアンモニウムクロライドである。
【００３６】
（疎水性ビニル単量体（Ｃ））
高分子化合物（イ）の構成単位（Ｃ′）をなす疎水性ビニル単量体（Ｃ）は、疎水性を示す単量体であればよく、特に限定されるものではないが、下記の一般式（７）で示されるものや、一般式（８）で示されるシリコンマクロマーなどを好ましく例示できる。これらは１種の単量体を単独で使用しても、２種以上を適宜組み合わせて使用してもよい。
【化７】
2006111869.tif 000008
【化８】
2006111869.tif 000009
【００３７】
式（７）、（８）中、Ｒは、水素または炭素数１〜２のアルキル基を示し、Ａは酸素原子またはＮＨを示し、Ｘ１は炭素数１〜１５の直鎖状または分岐鎖状のアルキル基、あるいは、炭素数２〜１５の直鎖状または分岐鎖状のアルケニル基を示す。また、Ｒ４はエーテル基を含有しても良い炭素数１〜６、好ましくは１〜４の２価脂肪族基を示し、Ｒ５は炭素数１〜３０、好ましくは１〜１８の脂肪族基、または炭素数１〜２２の含フッ素アルキル基を示す。ｈは０、１または２であり、ｊは０〜５００、好ましくは０〜３００の整数である。
【００３８】
一般式（７）で示される単量体の具体例としては、メチルアクリルート、メチルメタクリレート、エチルアクリルート、エチルメタクリレート、プロピルアクリルート、プロピルメタクリレート、ブチルアクリルート、ブチルメタクリレート、ｔ−ブチルアクリルート、ｔ−ブチルメタクリレート、ヘキシルアクリルート、ヘキシルメタクリレート、２−エチルヘキシルアクリルート、２−エチルヘキシルメタクリレート、オクチルアクリルート、オクチルメタクリレート、ラウリルアクリルート、ラウリルメタクリレート、プロピルアクリルアミド、プロピルメタクリルアミド、ブチルアクリルアミド、ブチルメタクリルアミド、ｔ−ブチルアクリルアミド、ｔ−ブチルメタクリルアミド、ヘキシルアクリルアミド、ヘキシルメタクリルアミド、オクチルアクリルアミド、オクチルメタクリルアミド、ラウリルアクリルアミド、ラウリルメタクリルアミド等が挙げられ、好ましくはプロピルアクリレート、プロピルメタクリレート、ブチルアクリルート、ブチルメタクリレート、ｔ−ブチルアクリルート、ｔ−ブチルメタクリレート、ヘキシルアクリルート、ヘキシルメタクリレート、２−エチルヘキシルアクリルート、２−エチルヘキシルメタクリレート等であり、より好ましくは、ブチルアクリルート、ブチルメタクリレート、ｔ−ブチルアクリルート、ｔ−ブチルメタクリレート等である。
【００３９】
一般式（８）で示されるシリコンマクロマーのゲルパーミエーションクロマトグラフィー（ＧＰＣ）法で測定した重量平均分子量は、重合溶媒との相溶性から１００〜４万の範囲、好ましくは２００〜２万の範囲にあることが好ましい。
【００４０】
（親水性ビニル単量体（Ｄ））
高分子化合物（イ）の構成単位（Ｄ′）をなす親水性ビニル単量体（Ｄ）としては、一般式（９）で示される単量体が挙げられる。
【化９】
2006111869.tif 000010
式（９）中、Ｒは水素または炭素数１〜２のアルキル基を示し、Ａは酸素原子またはＮＨを示す。Ｙ１は（ＣＨ２ＣＨ２Ｏ）ｎＢを示し、ここでｎは１〜３０の整数であり、Ｂは水素またはメチル基を示す。
【００４１】
一般式８で示される単量体の具体例としては、メトキシポリエチレングリコールアクリレート（オキシエチレン繰り返し単位数：１〜３０）、メトキシポリエチレングリコールメタクリレート（オキシエチレン繰り返し単位数：１〜３０）等が挙げられ、好ましくはメトキシポリエチレングリコールメタクリレート（オキシエチレン繰り返し単位数：４、９、２３）等を示すことができる。
【００４２】
（ｉｉ）高分子化合物（ロ）
高分子化合物（ロ）は、Ｎ−ビニルピロリドン単量体からなる構成単位を含有する高分子化合物であり、水への溶解度が２５℃において４０質量％以上であるものを好ましく使用できる。また、高分子化合物（ロ）は、Ｎ−ビニルピロリドン単量体からなる構成単位を含有する限り、ホモポリマー、ランダムコポリマー、ブロックコポリマーのいずれでもよい。
【００４３】
このようなものとしては、例えば、Ｎ−ビニルピロリドンのホモポリマーであるＢＡＳＦ社製Ｌｕｖｉｔｅｃ  Ｋ  １７（商品名）、Ｌｕｖｉｔｅｃ  Ｋ  ３０（商品名）、Ｌｕｖｉｔｅｃ  Ｋ  ９０（商品名）等が市販されている。
また、Ｎ−ビニルピロリドン単量体とＮ−ビニルイミダゾリン単量体を含有する高分子化合物であるＢＡＳＦ社製Ｌｕｖｉｔｅｃ  ＶＰＩ  ５５  Ｋ  ７２  Ｗ（商品名）等が市販されている。
また、その他に、Ｎ−ビニルピロリドン／ジメチルアミドエチルメタクリレート／メチルメタクリレート／ｔ−ブチルメタクリレート／メトキシポリエチレングリコール（ｐ＝９）メタクリレートの共重合体で、例えば組成比が１３／３９．４／２０．４／１９．４／７．８（モル％）であるものが好ましいものとして挙げられる。
【００４４】
（ｉｉｉ）高分子化合物（ハ）  
高分子化合物（ハ）は、ビニルピリジン部を有する単量体に由来した構成単位を含有する高分子化合物であり、このような単量体として一般式（１０）のものを示すことができる。
【化１０】
2006111869.tif 000011
式（１０）中、Ｄは、Ｏ−、ＯＨ、ＣＨ２ＣＯＯＨの酸型またはアルカリ金属塩またはアルカリ土類金属塩を表す。）
【００４５】
このようなものとしては、例えば、ＤがＯ−である単量体からなるＩＮＴＥＲＮＡＴＩＯＮＡＬ  ＳＰＥＣＩＡＬＩＴＹ  ＰＲＯＤＵＣＴＳ  ＩＮＣ．製の「ＣｈｒｏｍＢｏｎｄ  Ｓ−４００（商品名）」と、ＤがＣＨ２ＣＯＯＨである単量体からなる同社の「ＣｈｒｏｍＢｏｎｄ  Ｓ−１００（商品名）」が市販されている。
【００４６】
本発明の洗浄組成物は、上述した（Ｉ）成分、（ＩＩ）成分、（ＩＩＩ）成分をそれぞれ少なくとも１種含有するものであって、これら各成分の洗浄組成物中の配合比は、この組成物の使用形態、使用方法、汚れの付着している被洗物の種類、汚れの量、汚れの付着状態などによって異なることから、適宜調製すればよく、（Ｉ）成分／（ＩＩ）成分／（ＩＩＩ）成分の配合比（質量比）は、１〜７０／２〜９５／２〜９５がよく、好ましくは、２０〜６０／５〜５０／１５〜６０であり、より好ましくは３０〜５０／１０〜４０／２５〜５０である。
【００４７】
本発明の洗浄組成物には、上述の（Ｉ）〜（ＩＩＩ）成分に加えて、さらにキレート剤を配合することができる。
「キレート剤」
使用されるキレート剤は、主に汚れ中の無機物に含まれる多価金属イオンを捕捉すると考えられるものであって、これを水に溶かしたときに、多価金属イオンを捕捉する作用を奏するものであれば特に制限はないが、例えば、リン化合物または２つ以上のカルボキシル基を含有する化合物またはポリヒドロキサメート化合物が例示できる。このようなものとして好ましくは、リン酸、メタリン酸、ヘキサメタリン酸、ピロリン酸、トリポリリン酸、１−ヒドロキシエタン−１，１−ジホスホン酸、トリエチレンテトラミンーＮ，Ｎ，Ｎ’  ，Ｎ’，  Ｎ’’’  Ｎ’’’，  Ｎ’’’−六酢酸、ジエチレントリアミン五酢酸、エチレンジアミン四酢酸、ニトロソ三酢酸、シュウ酸、クエン酸、デフェロキサミンおよびその塩類（３０−アミノ−３，１４，２５−トリヒドロキシ−３，９，１４，２０，２５−ペンタアザトリアコンタン−２，１０，１３，２１，２４−ペンタオン、３０−アミノ−３，１４，２５−トリヒドロキシ−３，９，１４，２０，２５−ペンタアザトリアコンタン−２，１０，１３，２１，２４−ペンタオンメタンスルホン酸塩、３０−アミノ−３，１４，２５−トリヒドロキシ−３，９，１４，２０，２５−ペンタアザトリアコンタン−２，１０，１３，２１，２４−ペンタオン塩酸塩）であり、より好ましくは、ヘキサメタリン酸、ピロリン酸、トリポリリン酸、１−ヒドロキシエタン−１，１−ジホスホン酸、ジエチレントリアミン五酢酸、エチレンジアミン四酢酸、ニトロソ三酢酸であり、更により好ましくは、ヘキサメタリン酸、トリポリリン酸、１−ヒドロキシエタン−１，１−ジホスホン酸、ジエチレントリアミン五酢酸、エチレンジアミン四酢酸、ニトロソ三酢酸、デフェロキサミンおよびその塩類（３０−アミノ−３，１４，２５−トリヒドロキシ−３，９，１４，２０，２５−ペンタアザトリアコンタン−２，１０，１３，２１，２４−ペンタオン、３０−アミノ−３，１４，２５−トリヒドロキシ−３，９，１４，２０，２５−ペンタアザトリアコンタン−２，１０，１３，２１，２４−ペンタオンメタンスルホン酸塩、３０−アミノ−３，１４，２５−トリヒドロキシ−３，９，１４，２０，２５−ペンタアザトリアコンタン−２，１０，１３，２１，２４−ペンタオン塩酸塩）である。
【００４８】
キレート剤は１種単独で使用しても、２種以上を併用してもよい。また、キレート剤の配合量は、洗浄組成物の使用形態、使用方法、汚れの付着している被洗物の種類、汚れの量、汚れの付着状態などによって異なることから、適宜調製すればよい。好ましくは（Ｉ）〜（ＩＩＩ）成分とキレート剤の合計を１００質量％とした場合、キレート剤が１０〜９０質量％であり、より好ましくは２０〜６０質量％であり、更に好ましくは３０〜５０質量％である。
【００４９】
「その他の成分」
本発明の洗浄組成物は、必須成分である（Ｉ）〜（ＩＩＩ）成分や、任意成分であるキレート剤の他に、さらに、界面活性剤、有機溶剤、ｐＨ調整剤、消臭剤、蛍光剤、香料等を必要に応じて含有できる。
界面活性剤としては、例えば、アニオン性界面活性剤、カチオン性界面活性剤、ノニオン性界面活性剤、両性界面活性剤等を例示でき、市販の界面活性剤をいずれも用いることができる。
有機溶剤としては、例えばエチルカルビトール、ブチルカルビトール、エタノール、ポリエチレングリコール、プロピレングリコール、ポリビニルアルコール等を挙げることができる。
ｐＨ調整剤としては、水酸化ナトリウム、水酸化カリウム、炭酸ナトリウム、モノエタノールアミン、ジエタノールアミン、トリエタノールアミン、ホウ酸、塩酸、硝酸、硫酸等を例示できる。
これらの成分はそれぞれ洗浄組成物の組成物中に０．０１〜４０重量％含有させるのが好ましい。
【００５０】
本発明の洗浄組成物は、上述の必須成分や必要に応じて配合される成分を混合することにより調製できる。また、その形態は、粉状、粒状、ゲル状、液体のいずれの形態でもよく限定されない。また、洗浄組成物中の各成分の濃度は、洗浄組成物の形態などに応じて、適宜調整できる。例えば、粉状、粒状、ゲル状、液体の形態の場合、各成分の濃度を濃く調製し、使用する際に水などの溶媒で適宜希釈して、被洗物を洗浄組成物を含む液中に浸漬したり、被洗物に洗浄組成物を含む液を塗布したりして、洗浄することができる。洗浄組成物がゲル状、液体などである場合には、はじめから洗浄に適した濃度に調製しておき、そのまま、同様に浸漬したり塗布したりして被洗物を洗浄すればよい。
【００５１】
本発明の洗浄組成物を、１質量％に希釈した水溶液の液性には特に制限はないが、２５℃におけるｐＨが５以上１２以下、さらに好ましくは５．５以上１０．５以下であると、室内等で使用する場合にもより安全性が高く好ましい。また、本発明の洗浄組成物は、このようなｐＨ領域においても高い洗浄効果を奏する点にも特徴がある。
また、本発明の洗浄組成物の対象とする被洗物としては、繊維、陶器、磁器、ガラス、プラスチック、金属、塗装金属、タイル等であり、その具体例としては、靴下、服、ズボン、カーテン、便器等トイレ、窓ガラス、乗り物のガラス、めがね、透明プラスチック、温室用のシート、鏡、浴槽、浴室の壁や床、排水口、排水溝、流し台、洗面台等や、家やビル等建物の外壁、半導体用基板、半導体素子、原子力発電プラント等が挙げられる。また、対象とする汚れの種類にも特に制限はないが、繊維間のように形が複雑な部分に付着し、無機物と有機物からなる泥汚れのような混合汚れに対して、各成分が相乗的に働くためと推察されるが特に優れた効果を発揮し、極めて有用である。
【００５２】
洗浄組成物の使用形態にも特に限定はないが、繊維間のような複雑な部分に付着した汚れを効率よく落すためには、被洗物を洗浄組成物を含む液中に浸漬する工程、または、被洗物に洗浄組成物を含む液を塗布する工程のいずれか一方を少なくとも選択し、実施することが好ましい。
浸漬する時間や、塗布後保持する時間は、好ましくは１０分から２４時間、より好ましくは、１時間から２０時間、さらに好ましくは、３時間から１５時間である。浸漬や塗布の後には水で濯ぐだけでもよいが、被洗物が繊維からなるものである場合には、通常の衣類用洗浄剤などで洗濯した方が、より効果的である。
【００５３】
以上説明したこのような洗浄組成物は、たとえ繊維間のような形状が複雑な部分に付着し、通常の洗浄では落ちにくい有機物と無機物からなる泥汚れのような混合汚れであっても、（ＩＩＩ）成分が汚れ中の有機物を分散させるとともに（Ｉ）成分の還元剤が主に汚れ中における金属を介した有機物に作用し、（ＩＩ）成分のフッ化物が汚れ中のＳｉＯ２由来の無機物などに作用するといった相乗効果により、効果的に洗浄することができる。
【実施例】
【００５４】
以下に実施例を用いて本発明をさらに詳しく説明するが、本発明はこれら実施例に限定されるものではない。
［合成例１］
以下のようにして、実施例９および実施例１１で使用した合成高分子化合物１を製造した。
冷却還流管、温度計、窒素導入管及び攪拌装置を取り付けたセパラブルフラコにイオン交換水１２０ｇを仕込み、窒素を吹き込みながら８０℃で３０分撹拌した。ここに、予め２００ｍｌ用ビーカーに２−メチル−２−アクリルアミドプロパンスルホン酸（ＡＭＰＳ）２３．８ｇ、塩化トリメチルアミノプロピルアクリルアミド（ＡＡＰＴＡＣ）１９．０１ｇ、塩化１−ビニル−４−トリメチルアミノベンゼン（ｐ−ＴＭＡＭＶＢ）４．８６ｇ、ｔ−ブチルメタクリレート（ｔ−ＢＭＡ）０．３ｇ、メトキシポリエチレングリコール（ｐ＝２３）メタクリレート（Ｍ２３０Ｇ）１２．０ｇ、水酸化ナトリウム４．６ｇ、過硫酸ナトリウム０．５８ｇ、イオン交換水１２０ｇを仕込み、この溶液を激しく攪拌しながら２時間かけてセパラブルフラスコに滴下した。
滴下中、セパラブルフラスコ内を撹拌しながら、温度を８０℃に保った。
滴下後、８５℃に昇温し４時間反応を行った。生成物を反応器から取り出し、ヘキサンで再沈澱させることにより合成高分子化合物１の固体を５７ｇ得た。
得られた合成高分子化合物１の重量平均分子量は１８万であった。
なお、重量平均分子量はＧＰＣ（ゲル浸透クロマトグラフィー）法により測定した。すなわち、カラムとして、東ソー（株）社製  ＴＳＫｇｅｌ  α５０００、α３０００、α２５００の３本を用いた。溶出液は０．３  ｍｏｌ／Ｌトリエチルアミンをリン酸にてｐＨを２．９に調整した溶液を用い、流速０．０５ｍＬ／ｍｉｎ、カラム温度４０℃にて流した。標準サンプルにＳｈｏｄｅｘ社製  プルランを用い検量した。
【００５５】
［合成例２］
以下のようにして、実施例１２および比較例４で使用した合成高分子化合物２を製造した。
冷却還流管、温度計、窒素導入管及び攪拌装置を取り付けたセパラブルフラコにイオン交換水１２０ｇを仕込み、窒素を吹き込みながら８０℃で３０分撹拌した。ここに、予め２００ｍｌ用ビーカーに、メタクリル酸１３．２ｇ、塩化トリメチルアミノエチルメタクリレート（ＤＭＣ）３１．８ｇ、ｔ−ＢＭＡ３．０ｇ、Ｍ２３０Ｇ１２．０ｇ、水酸化ナトリウム５．２１ｇ、過硫酸ナトリウム０．８１ｇ、イオン交換水１２０ｇを仕込み、この溶液を激しく攪拌しながら２時間かけてセパラブルフラスコに滴下した。
滴下中、セパラブルフラスコ内を撹拌しながら、温度を８０℃に保った。
滴下後、８５℃に昇温し４時間反応を行った。生成物を反応器から取り出し、ヘキサンで再沈澱させることにより合成高分子化合物２の固体を５８ｇ得た。
得られた合成高分子化合物２の合成例１と同法による重量平均分子量は１５万であった。
【００５６】
［合成例３］
以下のようにして、実施例１０および比較例１で使用した合成高分子化合物３を製造した。  
冷却還流管、温度計、窒素導入管及び攪拌装置を取り付けたセパラブルフラコにエタノール８８ｇを仕込み、窒素を吹き込みながら８０℃で３０分撹拌した。ここに、予め２００ｍｌ用ビーカーにビニルピロリドン（ＶＰ）１５．０ｇ、ジメチルアミドエチルメタクリレート（ＤＭＥＭＡ）７ｇ、メチルメタクリレート（ＭＭＡ）７ｇ、ｔ−ＢＭＡ８．５ｇ、メトキシポリエチレングリコール（ｐ＝９）メタクリレート（Ｍ９０Ｇ）１２．５ｇ、２．２―アゾビスイソブチロニトリル０．９３ｇ、エタノール５８ｇを仕込み、この溶液を激しく攪拌しながら２時間かけてセパラブルフラスコに滴下した。
滴下中、セパラブルフラスコ内を撹拌しながら、温度を８０℃に保った。
滴下後、４時間反応を行い、合成高分子化合物３として、４８ｇ得た。
得られた合成高分子化合物３の合成例１と同法による重量平均分子量は９万であった。
【００５７】
［合成例４］
以下のようにして、実施例１８および比較例５で使用した合成高分子化合物４を製造した。  冷却還流管、温度計、窒素導入管及び攪拌装置を取り付けたセパラブルフラコにエタノール８８ｇを仕込み、窒素を吹き込みながら８０℃で３０分撹拌した。ここに、予め２００ｍｌ用ビーカーにＶＰ１５．５ｇ、ＤＭＥＭＡ６．５ｇ、ＭＭＡ１４ｇ、Ｍ９０Ｇ１４ｇ、２．２−アゾビスイソブチロニトリル０．９５ｇ、エタノール５８ｇを仕込み、この溶液を激しく攪拌しながら２時間かけてセパラブルフラスコに滴下した。
滴下中、セパラブルフラスコ内を撹拌しながら、温度を８０℃に保った。
滴下後、４時間反応を行い、合成高分子化合物４として、４８ｇ得た。
得られた合成高分子化合物４の合成例１と同法による重量平均分子量は８万であった。
【００５８】
［実施例１〜２２および比較例１〜６］
各例においては、配合組成を変えた以外は同様として洗浄組成物を調製し、それぞれ評価した。各例の配合組成を表１〜６に示す。表中の配合量の単位は質量％を示す。
なお、全成分の合計が１００質量％となるように、水量を適宜調整している。また、ｐＨは２５℃での値である。
【００５９】
表中の成分について以下に示す。
ビスノールＵＰ１０：一方社油脂工業（株）社製（式（１）で示される窒素を含有する界面活性剤であり、Ｒ１：牛脂由来のアルキル基、Ｒ２：ベンジル基、ｍ＋ｎ＝３０、Ｘ−：Ｃｌ−）
Ｌｕｖｉｔｅｃ  Ｋ９０：ビニルピロリドンホモポリマー（ＢＡＳＦ社製）
ＬｕｖｉｔｅｃＶＰＩ５５Ｋ７２Ｗ：ビニルピロリドン／ビニルイミダゾール共重合物（ＢＡＳＦ社製）
クロマボンドＳ−４００：ＩＮＴＥＲＮＡＴＩＯＮＡＬ  ＳＰＥＣＩＡＬＩＴＹ  ＰＲＯＤＵＣＴＳ  ＩＮＣ．製（式（１０）においてＤがＯ−のものの重合体）
ＨＥＤＰ：１−ヒドロキシエタン−１，１−ジホスホン酸
ＰＶＡ２３５：ポリビニル酢酸、（株）クラレ製
【００６０】
＜洗浄評価＞
各例で得られた洗浄組成物を使用して、繊維に付着した泥汚れに対する洗浄評価を行った。
１．モデル泥汚れ布の作成
園芸用黒土（ｋｙｏｔｏｃｈｉｙａ製）１５ｇを秤量し、水道水５００ｇ中に投入し、ホモジナイザー（ＫＩＮＥＭＡＴＩＣＡ（スイス）社製、商品名ポリトロン  Ｔｙｐｅ  ＰＴ  １０／３５  ）にて、８０ｒｐｍで、１５分間分散させた。得られた泥分散液中に１０ｃｍ×２５ｃｍに裁断したメンメリヤスニット布（（株）谷頭商店製）１５枚を浸漬させ、布を手で良く揉み、布全体に均一に分散液を含ませた。
布を取り出し、ローラーで軽く絞り、１時間自然乾燥させた後、１０５℃の恒温槽にてさらに１時間乾燥させた。
最後に布表面をウレタンスポンジで擦り、余分な泥粒子を落したものをモデル泥汚れ布とした。
【００６１】
２．洗浄方法
（１）洗浄方法１：浸漬
実施例１〜１０、比較例１〜３の各洗浄組成液１００ｍＬに、上記モデル泥汚れ布５枚（各４ｃｍ×４ｃｍに裁断したもの）を浸漬した。浸漬時間は１５時間とした。
一方、二槽式洗濯機（三菱電機製  商品名ＣＷ−Ｃ３０Ａ１−Ｈ１）の洗濯槽に、２５℃の水道水３０Ｌを入れ、次いで衣料用洗浄剤（ライオン（株）社製  商品名「トップ」）を１５ｇ投入し、３０秒間撹拌した。その後、上記浸漬後の評価布５枚と、丸首半袖シャツ７枚（富士紡績（株）社製  ＢＶＤ．ＬＬサイズ）とを入れ、標準水流で１０分間洗浄した後、１分間脱水した。さらに、ためすすぎ３分間、脱水１分間を２セット繰り返した後、自然乾燥させた。
（２）洗浄方法２：塗布
実施例１１〜２０、比較例４〜６の各洗浄組成液を、モデル泥汚れ布１枚に対し、１．５ｇ塗布し、１０時間放置し、その後、洗浄を行なった。洗浄方法は洗浄方法１と同様にである。
【００６２】
３．洗浄力の評価
評価布の反射率を、未洗浄布、汚染布（洗浄前の布）、洗浄布（洗浄後の布）について、各々、日本電色（ＳＥ２０００）にて測定し、洗浄率（％）を下記式に基づいて算出した。尚、反射率としては、Ｚ値を採用した。
洗浄率（％）＝（洗浄布の反射率−汚染布の反射率）／（未汚染布の反射率−汚染布の反射率）×１００
評価布５枚の洗浄率の平均値を求め、下記基準にて評価した。
◎：洗浄率６０％以上
○：洗浄率４５％以上〜６０％未満
△：洗浄率３０％以上〜４５％未満
×：洗浄率３０％未満
【００６３】
【表１】
2006111869.tif 000012
【００６４】
【表２】
2006111869.tif 000013
【００６５】
【表３】
2006111869.tif 000014
【００６６】
【表４】
2006111869.tif 000015
【００６７】
【表５】
2006111869.tif 000016
【００６８】
【表６】
2006111869.tif 000017
【００６９】
これらの結果より、還元剤（Ｉ）と、フッ化物（ＩＩ）と、窒素を含有する界面活性剤（ａ−１）、または、４級アンモニウム基または３級アミノ基を有するビニル単量体を構成単位として含む高分子化合物（ａ−２）の少なくとも一方（ＩＩＩ）とを含有する実施例の洗浄組成物は、これらの成分が相乗的に作用し、洗浄力が良好であった。一方、成分（Ｉ）〜（ＩＩＩ）のいずれかが欠けると、相乗効果が発現されず、洗浄力は低下した。